(57)【要約】【課題】頭皮を痛めることなく、短時間で手軽に毛髪Ｋを染めることができるとともに、毛髪Ｋを部分的に染めることができることで、ユーザや他人が違和感を感じることを回避できるを提供する。【解決手段】本発明の毛染め具１は、第１挟持板４と第２挟持板５との間に毛髪Ｋを挟み込んだ状態で、第１ローラ１２の表面に付着したトナーＴを毛髪Ｋに付着させることが可能であるとともに、第１ローラ１２と第２ローラ２０とが毛髪Ｋを加圧し、且つ、第１ヒーター１５が第１挟持板４を加熱し、第２ヒーター２１が第２挟持板５を加熱することで、毛髪Ｋに付着したトナーＴを、毛髪Ｋに染み込ませて、毛髪Ｋに定着させることが可能である。【選択図】図３
2019025137.tif 000002
【特許請求の範囲】
【請求項１】
第１挟持板を有する第１挟持部と、第２挟持板を有する第２挟持部とが、ヒンジを支点として開閉可能とされており、前記第１挟持部と前記第２挟持部とが閉じた状態では、前記第１挟持板と前記第２挟持板との間に毛髪を挟み込むことが可能な毛染め具であって、
前記第１挟持部や前記第２挟持部は、それぞれ箱状の本体を有しており、
前記第１挟持板は、前記第１挟持部の本体が備える壁板であって、当該第１挟持板には第１ヒーターが固定され、前記第２挟持板は、前記第２挟持部の本体が備える壁板であって、当該第２挟持板には第２ヒーターが固定され、、
前記第１挟持部の本体の内部には、第１ローラと、チャージャーと、トナー供給装置とが設けられ、
前記第２挟持部の本体の内部には、第２ローラが設けられ、
前記第１ローラは、回転駆動するものであって、その一部が前記第１挟持板に形成された第１開口から露出し、
前記チャージャーは、前記第１ローラの表面を第１極性に帯電させ、
前記トナー供給装置は、前記第１極性とは逆の第２極性に帯電させたトナーを、前記第１ローラの表面に供給して、前記第１ローラの表面に付着させることが可能であり、
前記第２ローラは、その一部が前記第２挟持板に形成された第２開口から露出し、
前記第１挟持部と前記第２挟持部とを閉じて、前記第１挟持板と前記第２挟持板との間に毛髪を挟み込んだ状態では、
前記第１ローラの回転で、前記第１ローラの表面に付着した前記トナーを、前記毛髪に付着させることが可能であるとともに、
前記第１開口から露出した第１ローラの部分と、前記第２開口から露出した第２ローラ２０の部分とが前記毛髪を加圧し、且つ、前記第１ヒーターが前記第１挟持板を加熱し、前記第２ヒーターが前記第２挟持板を加熱することで、前記毛髪に付着したトナーを、前記毛髪に染み込ませて、前記毛髪に定着させることが可能である毛染め具。
【請求項２】
請求項１に記載の毛染め具を用いる染毛方法であって、
前記チャージャーによって、前記第１ローラの表面を第１極性に帯電させるとととも、前記トナー供給装置によって前記第１極性とは逆の第２極性に帯電したトナーを前記第１ローラに供給することで、前記第１ローラの表面に前記トナーを付着させるステップと、
前記第１ローラの回転で、前記第１ローラの表面に付着した前記トナーを、前記第１挟持板と前記第２挟持板との間に挟み込まれた毛髪に付着させるとともに、前記第１開口から露出した前記第１ローラの部分と、前記第２開口から露出した前記第２ローラの部分とが前記毛髪を加圧し、且つ、前記第１ヒーターが前記第１挟持板を加熱し、前記第２ヒーターが前記第２挟持板を加熱することで、前記毛髪に付着した前記トナーを、前記毛髪に染み込ませて、前記毛髪に定着させる染毛方法。
【発明の詳細な説明】
【技術分野】
【０００１】
本発明は、トナーを用いる毛染め具及び染毛方法に関する。
【背景技術】
【０００２】
従来、毛髪を染めるための染毛剤として、パラフェニレンジアミン等の酸化染料と過酸化水素を主成分とした液状の染毛剤が使用されている（例えば特許文献１）。しかしながら、上記の染毛剤が使用される場合には、酸化染料が頭皮に染み込むことで、皮膚アレルギーの症状を引き起こす虞があり、また、過酸化水素の酸化作用が強力なために、毛髪の損傷や頭皮刺激（かぶれ）の問題が生じ得る。また上記の染毛剤が使用される場合には、毛髪の全体が一度に染めあげられるため、容貌が急に変わって違和感を生じる。
【先行技術文献】
【特許文献】
【０００３】
【特許文献１】特開2011-93817号公報
【発明の概要】
【発明が解決しようとする課題】
【０００４】
本発明は、上記事項に鑑みてなされたものであって、その目的は、頭皮を痛めることなく、短時間で手軽に毛髪を染めることができるとともに、毛髪を部分的に染めることができることで、ユーザや他人が違和感を感じることを回避できる毛染め具及び染毛方法を提供することである。
【課題を解決するための手段】
【０００５】
上記目的を達成するため、本発明は、次の項に記載の主題を包含する。
【０００６】
項１．第１挟持板を有する第１挟持部と、第２挟持板を有する第２挟持部とが、ヒンジを支点として開閉可能とされており、前記第１挟持部と前記第２挟持部とが閉じた状態では、前記第１挟持板と前記第２挟持板との間に毛髪を挟み込むことが可能な毛染め具であって、
前記第１挟持部や前記第２挟持部は、それぞれ箱状の本体を有しており、
前記第１挟持板は、前記第１挟持部の本体が備える壁板であって、当該第１挟持板には第１ヒーターが固定され、前記第２挟持板は、前記第２挟持部の本体が備える壁板であって、当該第２挟持板には第２ヒーターが固定され、、
前記第１挟持部の本体の内部には、第１ローラと、チャージャーと、トナー供給装置とが設けられ、
前記第２挟持部の本体の内部には、第２ローラが設けられ、
前記第１ローラは、回転駆動するものであって、その一部が前記第１挟持板に形成された第１開口から露出し、
前記チャージャーは、前記第１ローラの表面を第１極性に帯電させ、
前記トナー供給装置は、前記第１極性とは逆の第２極性に帯電させたトナーを、前記第１ローラの表面に供給して、前記第１ローラの表面に付着させることが可能であり、
前記第２ローラは、その一部が前記第２挟持板に形成された第２開口から露出し、
前記第１挟持部と前記第２挟持部とを閉じて、前記第１挟持板と前記第２挟持板との間に毛髪を挟み込んだ状態では、
前記第１ローラの回転で、前記第１ローラの表面に付着した前記トナーを、前記毛髪に付着させることが可能であるとともに、
前記第１開口から露出した第１ローラの部分と、前記第２開口から露出した第２ローラ２０の部分とが前記毛髪を加圧し、且つ、前記第１ヒーターが前記第１挟持板を加熱し、前記第２ヒーターが前記第２挟持板を加熱することで、前記毛髪に付着したトナーを、前記毛髪に染み込ませて、前記毛髪に定着させることが可能である毛染め具。
【０００７】
項２．項１に記載の毛染め具を用いる染毛方法であって、
前記チャージャーによって、前記第１ローラの表面を第１極性に帯電させるとととも、前記トナー供給装置によって前記第１極性とは逆の第２極性に帯電したトナーを前記第１ローラに供給することで、前記第１ローラの表面に前記トナーを付着させるステップと、
前記第１ローラの回転で、前記第１ローラの表面に付着した前記トナーを、前記第１挟持板と前記第２挟持板との間に挟み込まれた毛髪に付着させるとともに、前記第１開口から露出した前記第１ローラの部分と、前記第２開口から露出した前記第２ローラの部分とが前記毛髪を加圧し、且つ、前記第１ヒーターが前記第１挟持板を加熱し、前記第２ヒーターが前記第２挟持板を加熱することで、前記毛髪に付着した前記トナーを、前記毛髪に染み込ませて、前記毛髪に定着させる染毛方法。
【発明の効果】
【０００８】
本発明によれば、トナーが毛髪に定着することで、毛髪が染められる。毛髪に定着したトナーは、従来使用されていた液状の染色剤のように、頭皮に染み込まない。したがって本実施形態によれば、頭皮を痛めることなく（皮膚アレルギーや頭皮刺激（かぶれ）の問題を生じさせることなく）、毛髪を染めることができる。また本発明によれば、トナーが加圧及び加熱によって短時間で毛髪に定着するため、短時間で毛染めを行うことができる。さらに本発明によれば、第１挟持板と第２挟持板との間に毛髪を挟み込んで、毛染め具をスライドさせる簡易な作業によって毛髪が染められる。このため手軽に毛髪を染めることができる。さらに本発明によれば、第１挟持板と第２挟持板との間に挟み込んだ毛髪のみがトナーで染められる。このため本実施形態によれば、毛髪を部分的に染めることができるので、ユーザの容貌が急激に変わることを防止できる。したがってユーザや他者者が違和感を感じることを回避できる。
【図面の簡単な説明】
【０００９】
【図１】本発明の実施形態に係る毛染め具を用いて染毛が行われている状態を示す斜視図である。
【図２】本発明の実施形態に係る毛染め具の斜視図である。
【図３】本発明の実施形態に係る毛染め具の断面図である。
【図４】（ａ）は毛染め具が備える第１挟持板を示す平面図であり、（ｂ）は毛染め具が備える第２挟持板を示す平面図である。
【発明を実施するための形態】
【００１０】
以下、本発明の実施の形態について、添付図面を参照しながら説明する。図１は、本発明の実施形態に係る毛染め具１を用いて染毛が行われている状態を示す斜視図である。図２は、毛染め具１を示す斜視図である。図３は、毛染め具１の断面図である。図４（ａ）は、毛染め具１が備える第１挟持板４を示す平面図であり、図４（ｂ）は毛染め具１が備える第２挟持板５を示す平面図である。
【００１１】
本実施形態に係る毛染め具１は、開閉可能な第１挟持部２及び第２挟持部３を備えており、第１挟持部２と第２挟持部３との間に挟み込んだ毛髪ＫをトナーＴで染めることができる。
【００１２】
トナーＴは、バインダー樹脂中に着色剤を分散した樹脂粒子である。本実施形態に係る毛染め具１には、トナーＴのみによる１成分染色剤、或いは、トナーＴとキャリアと混合した２成分染色剤が収容さされる。
【００１３】
上記のバインダー樹脂としては、ポリスチレン樹脂、スチレンアクリル樹脂、スチレンブタジエン樹脂等の各種のスチレン系樹脂および各種のポリエステル樹脂を始め、エポキシ樹脂、フェノール樹脂、クマロン樹脂、キシレン樹脂、塩素化パラフィン樹脂、塩化ビニル系樹脂、ポリオレフィン樹脂等が挙げられる。
【００１４】
上記の着色剤としては、カーボンブラック、ニグロシン、ベンジジンイエロー、キナクリドン、ローダミンＢ、フタロシアニンブルー等が挙げられるが、毛髪Ｋを黒色に染める目的から、主に、カーボンブラックやニグロシンが使用される。
【００１５】
またトナーＴの帯電制御を行うために、トナーＴ中に負帯電性制御剤又は正帯電性制御剤を含有させることができる。負帯電性制御剤としては、金属キレート類、合金染料、アルキルサリチル酸の金属塩等が挙げられる。正帯電性制御剤としては、例えば、４級アンモニウム塩、ニグロシン染料、トリフェニルメタン系染料、スチレン−アミノアクリレート共重合体、ポリアミン樹脂が挙げられる。
【００１６】
またトナーＴ中に磁性体の微粉末を含有させることもできる。磁性体としては、フェライト及びマグネタイトを始め、鉄、コバルト、ニッケル等の強磁性元素を含む合金もしくは化合物や、適当な熱処理によって強磁性を示す合金、例えば、Ｍｎ−Ｃｕ−Ａｌ、Ｍｎ−Ｃｕ−Ｓｎ等のマンガンと銅とを含むホイスラー合金または二酸化クロム等の金属酸化物等が挙げられる。
【００１７】
２成分染色剤を使用する場合のキャリアとしては、鉄粉系キャリア、フェライト系キャリア、磁性体コア粒子の表面を樹脂被覆したコートキャリア等が挙げられる。
【００１８】
次に、本実施形態に係る毛染め具１が備える構成について具体的に説明する。
【００１９】
図２〜図４に示すように、第１挟持部２は、箱状の本体６や、本体６から延びる把持部７を備えるもる。第２挟持部３は、箱状の本体８や、本体８から延びる把持部９を備える。本体６，８や把持部７，９は、耐熱性の高い樹脂等から形成される。把持部７と把持部９とはヒンジ１０（図１）を介して連結されており、ヒンジ１０を支点として第１挟持部２と第２挟持部３とを開閉できる。第１挟持部２と第２挟持部３とを閉じた状態では、第１挟持部２が有する第１挟持板４と、第２挟持部３が有する第２挟持板５との間に、毛髪Ｋを挟み込むことができる。第１挟持板４は、第２挟持部３側に位置する本体６の壁に相当する。第１挟持板４は、第１挟持部２側に位置する本体８の壁に相当する。
【００２０】
図１に示すように、毛染め具１の端には電源コード１１が接続されており、この電源コード１１を介して、図示しない電源からの電力を毛染め具１の各部に供給できる。毛染め具１の外面には（第１挟持部２或いは第２挟持部３の外面には）、図示しない電源スイッチが設けられる。この電源スイッチに対する操作によって、毛染め具１の各部への電力供給を入り切り可能である。
【００２１】
第１挟持部２の本体６の内部には、第１ローラ１２や、チャージャー１３や、トナー供給装置１４や、第１ヒーター１５等が設けられる。
【００２２】
第１ローラ１２は、導電性支持体の表面が帯電層で被覆されるものである。導電性支持体は、例えばアルミニウム素管であり、帯電層は、例えば正帯電有機感光体（正ＯＰＣ：Organic Photoconductor）である。本体６の内部には、第１ローラ１２を回転させるためのモータ（図示せず）が設けられており、当該モータが駆動することで、第１ローラ１２は、図３に示す矢印Ｒの方向に回転する。第１挟持板４には、第１開口１６が形成されており、当該第１開口１６から第１ローラ１２の一部が露出する。
【００２３】
トナー供給装置１４やチャージャー１３は、第１ローラ１２の周囲に配置される。トナー供給装置１４は、第１開口１６よりも第１ローラ１２の回転方向Ｒの上流側に設けられ、チャージャー１３は、トナー供給装置１４よりも、第１ローラ１２の回転方向Ｒの上流側に設けられる。
【００２４】
チャージャー１３は、コロナ放電極からなり、生成されるイオンによって、第１ローラ１２の表面を第１極性（例えばプラス）に帯電させる。
【００２５】
トナー供給装置１４は、第１極性とは反対の第２極性（例えばマイナス）に帯電したトナーＴを、第１ローラ１２の表面に供給して、第１ローラ１２の表面に付着させる。
【００２６】
トナー供給装置１４は、トナーＴを含む染色剤を貯留するボックス１７と、第１ローラ１２と相対して配置される回転スリーブ１８とを備える。ボックス１７には、上述したトナーＴのみを含む１成分染色剤、或いは、上述したトナーＴとキャリアとを混合した２成分染色剤が貯留される。
【００２７】
１成分染色剤がボックス１７に貯留される場合には、例えば、回転スリーブ１８の表面に複数の凹部（図示せず）が形成され、回転スリーブ１８の近傍にトナーＴを帯電させるためのブレード（図示せず）が配置される。ボックス１７に貯留する１成分染色剤は、回転スリーブ１８の凹部に入ることで、回転スリーブ１８の表面に担持される。そして回転スリーブ１８が方向Ｒに回転することで、回転スリーブ１８の表面に担持された１成分染色剤が第１ローラ１２と対面する位置に搬送され、この過程において、上記のブレードによってトナーＴが第２極性に摩擦帯電される。そして染色剤が第１ローラ１２と対面する位置に搬送された際に、第２極性に帯電しているトナーＴが、第１極性に帯電している第１ローラ１２の表面に移動して、第１ローラ１２の表面に付着する。
【００２８】
２成分染色剤がボックス１７に貯留される場合には、ボックス１７の内部に攪拌スクリュー（図示せず）が設けられ、回転スリーブ１８の内側にマグネットローラ（図示せず）が配置される。そして上記の攪拌スクリューによって、ボックス１７内のトナーＴとキャリアとが混合攪拌されることでトナーＴが第２極性に帯電し、上記のマグネットローラが作る磁界によって、第２極性に帯電したトナーＴを含む２成分染色剤が回転スリーブ１８の表面に担持される。そして回転スリーブ１８が方向Ｒに回転することで、回転スリーブ１８の表面に担持された２成分染色剤が、第１ローラ１２と対面する位置に搬送される。そして染色剤が第１ローラ１２と対面する位置に搬送された際に、第２極性に帯電しているトナーＴが、第１極性に帯電している第１ローラ１２の表面に移動して、第１ローラ１２の表面に付着する。
【００２９】
第１ヒーター１５は、第１挟持板４の内面に固定される。第１ヒーター１５は、例えば、熱伝導性を有するヒーター基板と、この基板に具備される発熱抵抗体部とを備えており、発熱抵抗体部に対する通電で昇温することで、第１挟持板４を加熱する。第１挟持板４への第１ヒーター１５の固定は、例えば、第１挟持板４の内面に形成される溝に第１ヒーター１５を嵌め込むことで行われる。なお、第１挟持板４の外面に形成される溝に第１ヒーター１５を嵌め込むことで、第１ヒーター１５が第１挟持板４の外面に固定されてもよい。また第１ヒーター１５の固定方法は上記に限定されず、他の公知の方法にて、第１ヒーター１５は第１挟持板４に固定され得る。
【００３０】
第２挟持部３の本体６の内部には、第２ローラ２０や第２ヒーター２１等が設けられる。
【００３１】
第２ローラ２０は、円柱形の芯金と、芯金の外周に形成された導電性弾性層とを備える。第２挟持板５には第２開口２２が形成されており、この第２開口２２から第２ローラ２０の一部が露出する。本体６の内部には、バネ等からなる加圧手段（図示せず）が設けられており、この加圧手段によって、第２ローラ２０の芯金は、第１挟持部２側に付勢される。第１挟持部２と第２挟持部３とが閉じた状態では、上記の加圧手段の付勢によって、第２開口２２から露出した第２ローラ２０の部分が、第１開口１６から露出する第１ローラ１２の部分に押し付けられる。この押し付けによって、第１挟持板４と第２挟持板５との間に挟み込まれた毛髪Ｋは、第１ローラ１２と第２ローラ２０とによって加圧され、第２ローラ２０は第１ローラ１２の回転に伴い従動回転する（図３に示す矢印Ｌは第２ローラ２０の回転方向を示している）。また第２ローラ２０の芯金には電源によりバイアス電圧が印加される。このバイアス電圧が、芯金を通じて導電性弾性層に与えられることで、第１ローラ１２上のトナーＴが第２ローラ２０側に吸引されて、第１挟持板４と第２挟持板５との間に挟み込まれた毛髪Ｋに付着する。
【００３２】
第２ヒーター２１は、第２挟持板５の内面に固定される。第２ヒーター２１は、第１ヒーター１５と同様、ヒーター基板と発熱抵抗体部とを備えるものであり、発熱抵抗体部に対する通電で昇温することで第２挟持板５を加熱する。第２挟持板５への第２ヒーター２１の固定は、例えば、第２挟持板５の内面に形成される溝に第２ヒーター２１を嵌め込むことで行われる。なお第２挟持板５の外面に形成される溝に第２ヒーター２１を嵌め込むことで、第２ヒーター２１が第２挟持板５の外面に固定されてもよい。また第２ヒーター２１の固定方法は上記に限定されず、他の公知の方法にて、第２ヒーター２１は第２挟持板５に固定され得る。
【００３３】
上記の毛染め具１を用いて、毛髪Ｋを染める際には、ユーザは、第１挟持板４と第２挟持板５との間に毛髪Ｋを挟み込んで、毛染め具１の外面に設けられる電源スイッチ（図示せず）をＯＮにする作業を行う。この作業により、毛染め具１の各部が作動することで、毛染め具１は、以下のステップ１及びステップ２を実行して、第１挟持板４と第２挟持板５との間に挟み込まれた毛髪ＫをトナーＴで染める。
【００３４】
ステップ１：チャージャー１３によって、方向Ｒに回転する第１ローラ１２の表面が第１極性に帯電されるとととも、トナー供給装置１４によって第２極性に帯電したトナーＴが第１ローラ１２に供給されることで、第１ローラ１２の表面にトナーＴが付着する。
【００３５】
ステップ２：方向Ｒへの第１ローラ１２の回転で、第１ローラ１２の表面に付着したトナーＴを、第１挟持板４と第２挟持板５との間に挟み込まれた毛髪Ｋに付着させるとともに、第１開口１６から露出した第１ローラ１２の部分と、第２開口２２から露出した第２ローラ２０の部分とによって毛髪Ｋが加圧され、且つ、第１ヒーター１５によって第１挟持板４が加熱され、第２ヒーター２１によって第２挟持板５が加熱されることで、毛髪Ｋに付着したトナーＴが、毛髪Ｋに染み込み、毛髪Ｋに定着する。
【００３６】
なお毛染め具１を用いて毛髪Ｋを染める際には、ユーザは、第１ローラ１２や第２ローラ２０の回転を利用して、毛染め具１を毛髪Ｋに沿ってスライドさせる（図１に示す矢印Ｓは、毛染め具１のスライド方向を示す）。このようにすることで、第１挟持板４と第２挟持板５との間に挟み込んだ毛髪Ｋの略全体を染めることができる。そして当該毛髪Ｋの毛染めが完了した後では、ユーザは、第１挟持部２と第２挟持部３とを開状態にして、毛染め具１を毛髪Ｋから取り外す。この後、ユーザが、第１挟持板４と第２挟持板５との間に他の毛髪Ｋを挟み込んで、他の毛髪Ｋに沿って毛染め具１をスライドさせることで、他の毛髪Ｋも染めることができる。
【００３７】
本実施形態によれば、トナーＴが毛髪Ｋに定着することで、毛髪Ｋが染められる。毛髪Ｋに定着したトナーＴは、従来使用されていた液状の染色剤のように、頭皮に染み込まない。したがって本実施形態によれば、頭皮を痛めることなく（皮膚アレルギーや頭皮刺激（かぶれ）の問題を生じさせることなく）、毛髪Ｋを染めることができる。
【００３８】
またトナーＴは、加圧及び加熱されることで、短時間で毛髪Ｋに定着する。このため本実施形態によれば、短時間で毛染めを行うことができる。
【００３９】
また本実施形態によれば、第１挟持板４と第２挟持板５との間に毛髪Ｋを挟み込み、毛染め具１をスライドさせる簡易な作業によって毛髪Ｋが染められる。このため手軽に毛髪Ｋを染めることができる。
【００４０】
また本実施形態によれば、第１挟持板４と第２挟持板５との間に挟み込んだ毛髪ＫのみがトナーＴで染められる。このため本実施形態によれば、毛髪Ｋを部分的に染めることができるので、ユーザの容貌が急激に変わることを防止できる。したがってユーザや他者者が違和感を感じることを回避できる。
【００４１】
なお本発明は、上述した実施形態に限定されず、特許請求の範囲において適宜改変することができる。
【００４２】
例えば上記の実施形態では、第２ローラ２０にバイアス電圧が印加されることで、第１ローラ１２上のトナーＴが第２ローラ２０側に吸引して毛髪Ｋに付着させる例を示したが、第２ローラ２０には必ずしもバイアス電圧が印加されなくてもよい。このようにしても、第１挟持板４と第２挟持板５との間に挟み込んだ毛髪Ｋが、第１開口１６から露出する第１ローラ１２の部分に接触することで、第１ローラ１２上のトナーＴを毛髪Ｋに付着させることができる。
【００４３】
また本体６の内部にトナー除去装置を設けてもよい。このトナー除去装置は、第１開口１６よりも第１ローラ１２の回転方向Ｒの下流側、且つ、チャージャー１３よりも第１ローラ１２の回転方向Ｒの上流側に配置されるものであり、毛髪Ｋに付着せずに第１ローラ１２の表面に残留するトナーＴを除去する。このトナー除去装置を用いれば、第１ローラ１２の表面にトナーＴを均一に付着させることができるので、毛髪Ｋに色むらが生じることを防止できる。
【００４４】
また、チャージャー１３は、本体６内に回転自在に設けられる帯電ローラから構成されてもよい。帯電ローラは、第１ローラ１２の表面に接触するものであり、第１ローラ１２の回転に伴い従動回転する。帯電ローラには、電源から直流電圧である帯電バイアスが印加されており、これにより、帯電ローラは、第１ローラ１２の方面を第１極性に帯電させることができる。
【符号の説明】
【００４５】
１  毛染め具、
２  第１挟持部、
３  第２挟持部、
４  第１挟持板、
５  第２挟持板、
６  第１挟持部の本体、
８  第２挟持部の本体、
１０  ヒンジ、
１２  第１ローラ、
１３  チャージャー、
１４  トナー供給装置、
１５  第１ヒーター、
１６  第１開口、
２０  第２ローラ、
２１  第２ヒーター、
２２  第２開口、
Ｋ  毛髪、
Ｔ  トナー
【図１】
2019025137.tif 000003
【図２】
2019025137.tif 000004
【図３】
2019025137.tif 000005
【図４】
2019025137.tif 000006